(57)【要約】【課題】印字ヘッド内のインクに発生する気泡を効果的に除去することができる液吐出装置及び画像形成装置並びに気泡処理方法を提供する。【解決手段】脱気インクが供給されている印字ヘッド５０の吐出異常が検出されると印字ヘッド５０の外部に設けられた振動発生手段１０２は移動手段を用いて気泡が発生しているインク室ユニット５３Ａの形成領域に移動され、インク室ユニット５３Ａの形成領域には振動発生手段１０２を用いてインク吐出方向と略平行な方向の超音波振動が与えられる。この超音波振動がインク室ユニット５３Ａ内のインクに作用すると気泡をインク内に溶け込ませて気泡を消滅させることができる。振動発生手段１０２はインク吐出用アクチュエータや吐出異常検出用圧電素子と兼用可能である。気泡発生領域に集中的に超音波振動を与えることで効率よく気泡を消滅させることができる。【選択図】  図１１
2005231309.tif 000002
【特許請求の範囲】
【請求項１】
脱気された液を供給する液供給手段と、
前記液供給手段から前記脱気された液を供給され、被吐出媒体上に液を吐出させる吐出ヘッドと、
前記吐出ヘッドに該液の吐出方向と略平行な方向から同方向成分の振動を与えることで前記吐出ヘッド内の該液に発生した気泡を該液に溶け込ませる振動発生手段と、
を備えたことを特徴とする液吐出装置。
【請求項２】
前記吐出ヘッドに供給される液に含まれる溶存気体の少なくとも一部を取り除く脱気手段を備えたことを特徴とする請求項１記載の液吐出装置。
【請求項３】
前記吐出ヘッド内の液に発生する気泡を検出する気泡検出手段を備えたことを特徴とする請求項１又は２記載の液吐出装置。
【請求項４】
前記吐出ヘッドが有する液滴吐出孔の吐出異常を検出する吐出異常検出手段を備え、
前記気泡検出手段は前記吐出異常検出手段と兼用されることを特徴とする請求項３記載の液吐出装置。
【請求項５】
前記振動発生手段を移動させる移動手段と、
前記気泡検出手段によって気泡の発生位置が特定されると前記気泡の発生位置に前記移動手段を用いて前記振動発生手段を移動させるように制御する移動制御手段と、
を備えたことを特徴とする請求項３又は４記載の液吐出装置。
【請求項６】
前記振動発生手段は超音波振動発生手段を含むことを特徴とする請求項１乃至５のうち何れか１項に記載の液吐出装置。
【請求項７】
前記吐出ヘッドの液の温度を調節する温度調節手段と、
前記振動発生手段から与えられた振動によって前記吐出ヘッド内の気泡を液の中に溶け込ませると前記吐出ヘッド内の液の温度を下げるように前記温度調節手段を制御する温度調節制御手段と、
を備えたことを特徴とする請求項１乃至６のうち何れか１項に記載の液吐出装置。
【請求項８】
前記吐出ヘッドから吐出される液滴に吐出力を与える圧電素子に印加する駆動信号を制御する駆動制御手段を備え、
前記駆動制御手段は、前記吐出ヘッド内の液の温度が下げられることで高粘度化した液を吐出できるように前記圧電素子に印加する駆動信号を変更することを特徴とする請求項７記載の液吐出装置。
【請求項９】
前記吐出ヘッドに液を供給する供給路に前記吐出ヘッドに供給される液の溶存気体量を計測する溶存気体計測手段を備えたことを特徴とする請求項１乃至８のうち何れか１項に記載の液吐出装置。
【請求項１０】
前記振動発生手段を前記吐出ヘッドの内部に備えたことを特徴とする請求項１乃至９のうち何れか１項に記載の液吐出装置。
【請求項１１】
前記吐出ヘッドの内部に備えられた振動発生手段は、前記吐出ヘッドから吐出される液滴に吐出力を与える吐出用圧電素子或いは前記吐出ヘッド内の気泡を検出する気泡検出手段に用いられる圧電素子のうち少なくとも何れか一方と兼用されることを特徴とする請求項１０記載の液吐出装置。
【請求項１２】
前記吐出ヘッドは、被吐出媒体の記録可能幅に対応した幅を有するフルライン型の吐出ヘッドを含むと共に、マトリクス状に配列された液滴を吐出させる吐出孔と、前記吐出孔から吐出される液を蓄える液室と、を備え、
前記移動制御手段は、前記吐出異常検出手段によって吐出異常が検出された吐出孔に対応した液室の形成領域へ前記移動手段を用いて前記振動発生手段を移動させ、振動発生手段は当該液室の形成領域を含んだ領域に振動を与えて当該液室内の液に気泡を溶け込ませることを特徴とする請求項５乃至１１のうち何れか１項に記載の液吐出装置。
【請求項１３】
被記録媒体上にインク滴を吐出させる記録ヘッドを備えた画像形成装置であって、
脱気されたインクを前記記録ヘッドに供給する供給部と、
前記記録ヘッドから吐出されるインク滴の吐出方向と略平行な方向から同方向成分の振動を前記記録ヘッドに与えることで前記記録ヘッド内のインクに発生した気泡を該インク内に溶け込ませる振動発生手段と、
を備えたことを特徴とする画像形成装置。
【請求項１４】
被記録媒体上に液滴を吐出させる吐出ヘッドを備えた液吐出装置の気泡処理方法であって、
脱気処理を施された液が供給された前記吐出ヘッドに振動発生手段を用いて振動を与えて、前記吐出ヘッド内の液に発生した気泡を該液に溶け込ませることを特徴とする気泡処理方法。
【請求項１５】
請求項１４に記載した気泡処理方法を前記液吐出装置の電源オン時に実行することを特徴とする請求項１４記載の気泡処理方法。
【請求項１６】
前記吐出ヘッドの外部に備えられた振動発生手段と同期して前記吐出ヘッド内部に備えられた前記吐出ヘッドから吐出される液に吐出力を与える吐出用圧電素子及び前記吐出ヘッドの吐出異常を検出する吐出異常検出用圧電素子を動作させることを特徴とする請求項１４又は１５記載の気泡処理方法。
【発明の詳細な説明】
【技術分野】
【０００１】
本発明は液吐出装置及び画像形成装置並びに気泡処理方法に係り、特に吐出ヘッドから吐出される液に発生した気泡を効果的に除去することが可能な気泡除去技術に関する。
【背景技術】
【０００２】
近年、画像やドキュメント等のデータ出力装置としてインクジェットプリンターが普及している。インクジェットプリンターは記録ヘッドに備えられたノズル等の記録素子をデータに応じて駆動させ、該ノズルから吐出されるインクによって記録紙などの被記録媒体上にデータを形成することができる。また、インクジェットプリンターには、インクを吐出させる吐出手段としてノズルに連通される圧力室に圧力波を与えるPZT アクチュエータ等を用いるものや、インク室（圧力室）内のインクを加熱してバブルを発生させる熱源を用いるものなどがある。これらの吐出手段を動作させることによって加圧されたインクがノズルから吐出され、被記録媒体上へ画像などのデータが形成される。
【０００３】
インクジェットプリンターでは、記録ヘッドの圧力室内に気泡が発生すると、アクチュエータからインクに与えられる圧力の損失が大きくなり、インクの吐出量異常、吐出方向異常、不吐出などの吐出異常を発生させることになる。かかる吐出異常は記録画像に影響を及ぼし、結果として画像品質を著しく低下させてしまう。したがって、吐出異常を遅滞なく検出して該吐出異常の原因を取り除くことによって記録画像の品質を維持することができる。
【０００４】
記録ヘッド内に気泡が発生する原因は、インク供給路からの気泡侵入及びインク内の溶存気体インクの温度上昇などによって気泡化することがある。また、ノズルが汚れる等の理由によってノズルからインクが正常に吐出されないときに実行されるメニスカス振動時に気泡を巻き込んでしまうなど、記録ヘッドの外部からノズルを介して気泡が浸入することも考えられる。
【０００５】
上述した気泡の発生のうち、インク内の溶存気体が気泡化する場合には、記録ヘッドに供給されるインクを予め脱気しておくことで気泡発生を回避することが可能である。また、インク供給路内で強制的に気泡を消滅させる方法や、実用化されている多くの装置で行われているようにノズルからインクを吸引して、インクと共に気泡を記録ヘッドの外部に排出させる方法が用いられる。
【０００６】
一方、ノズルから浸入する気泡に対しては、ノズルの吸引を行い、ノズル内のインクと共に記録ヘッドの外部へ気泡を排出させる方法が有効である。
【０００７】
記録ヘッドを被記録媒体幅方向に走査させて記録を行うシャトルヘッド方式では、記録ヘッドが往復運動を行うので、その際にインク内の気泡はインク内に溶けて消滅することがある。一方、被記録媒体の幅対応したページワイドの記録ヘッドでは、前記シャトルヘッド方式のように往復運動による振動がないので、一度インク内に発生した気泡は再度インク内に溶け込む可能性は極めて低い。
【０００８】
特許文献１に記載された記録装置では、インクタンクと記録ヘッドとの間のインク供給路に超音波発生手段を設けてインクを振動させ、インクに混入した気泡を破壊消滅させるように構成されている。また、超音波発生手段よりも記録ヘッド側にあるインク供給路にインクに混入した気泡を検出する気泡検出手段を備え、その検出結果によって超音波発生手段を制御するように構成されている。
【特許文献１】特開平９−３９２６１号公報
【発明の開示】
【発明が解決しようとする課題】
【０００９】
インク内の溶存気体や気泡化した気泡化した気体に対する処理として、気泡化したまま記録ヘッドの外部に排出させる処理と、インクの中に気泡を溶け込ませて、インクの中に気泡を溜めておく処理がある。
【００１０】
インク供給路及び共通流路を含んだインク流路では、インクを循環させてフィルタなどにより気泡をトラップさせたり、気泡を含んだインクを脱気装置に送出して、脱気装置によってインクに含まれた気泡を除去したりするなどの処理を実行することができる。
【００１１】
このように、循環可能な流路内では、気泡のまま記録ヘッドの外部に取り出す方法は効果的であるが、循環させることができない記録ヘッドの圧力室内では気体を回収する方法が実質的にないために気泡をインクに溶け込ませることによってインク内の気泡を除去するしかない。また、インクの消費量を抑えるためにも気泡をインク内に溶け込ませることが好ましい。
【００１２】
特許文献１に開示された記録装置では、インク供給路を超音波発生手段によって振動させることで、気泡が消滅したとしても、記録ヘッドからインクが吐出されるまでに、再度気泡化してしまうことが考えられる。一方、記録ヘッドの外部からノズルを介して記録ヘッド内に侵入する気泡に対しては効果がない。
【００１３】
本発明はこのような事情に鑑みてなされたもので、吐出ヘッド内のインクに発生する気泡を効果的に除去することができる液吐出装置及び画像形成装置並びに気泡処理方法を提供することを目的とする。
【課題を解決するための手段】
【００１４】
前記目的を達成するために請求項１に係る発明は、脱気された液を供給する液供給手段と、前記液供給手段から前記脱気された液を供給され、被吐出媒体上に液を吐出させる吐出ヘッドと、前記吐出ヘッドに該液の吐出方向と略平行な方向から同方向成分の振動を与えることで前記吐出ヘッド内の該液に発生した気泡を該液に溶け込ませる振動発生手段と、を備えたことを特徴としている。
【００１５】
即ち、振動発生手段を用いて吐出ヘッド内の液に振動を与えることによって、吐出ヘッドの液流路発生した気泡を液内に溶け込ませて消滅させることができる。また、脱気された液を用いることで、液内に溶け込ませることができる気体量に余裕を持たせることができる。
【００１６】
被吐出媒体は、吐出ヘッドから液滴を吐出される媒体であり、連続用紙やカット紙、シール用紙などの紙類、ＯＨＰシート等の樹脂シート、フイルム、布、その他材質や形状を問わず、様々な媒体を含む。
【００１７】
また、液には、水、薬液、処理液、インクなどが吐出ヘッドから吐出可能な様々な液体が含まれる。
【００１８】
振動発生手段は吐出ヘッドの外部に備えられてもよいし、吐出ヘッドの内部に備えられてもよい。また、振動発生手段から吐出ヘッドに与えられる振動は、吐出ヘッド内のインクに振動発生手段の振動を作用させることができればよく、様々な周波数帯の振動を適用することができる。
【００１９】
振動発生手段を吐出ヘッドに接触させて直接的に吐出ヘッドを振動させてもよいし、空気を介して間接的に振動を伝達させてもよい。
【００２０】
吐出ヘッドに振動を与える際には、該吐出ヘッドからの吐出が行われないように制御する態様が好ましい。
【００２１】
吐出ヘッド内の液に発生した気泡には、当該吐出ヘッドの外部から浸入した気泡を含んでいてもよい。
【００２２】
請求項２に示すように、請求項１記載の発明において、前記吐出ヘッドに供給される液に含まれる溶存気体の少なくとも一部を取り除く脱気手段を備えたことを特徴としている。
【００２３】
即ち、脱気手段を備えることで、吐出ヘッド内には溶存気体量が一定量以下になるように脱気された液を供給することができる。
【００２４】
脱気装置は吐出ヘッドの液流方向上流側に備える態様が好ましい。
【００２５】
また、請求項３に示すように、請求項１又は２記載の発明において、前記吐出ヘッド内の液に発生する気泡を検出する気泡検出手段を備えたことを特徴としている。
【００２６】
即ち、気泡検出手段によって吐出ヘッド内に気泡が存在すると検出されると、該吐出ヘッドに振動を与えて、該気泡をインク内に溶け込ませるように構成したので、必要に応じて吐出ヘッドに振動を与えることができる。
【００２７】
気泡検出手段は吐出ヘッドの内部に備えてもよいし、吐出ヘッドに液を供給する液供給路に備えてもよい。
【００２８】
また、請求項４に示すように、請求項３記載の発明において、前記吐出ヘッドが有する液滴吐出孔の吐出異常を検出する吐出異常検出手段を備え、前記気泡検出手段は前記吐出異常検出手段と兼用されることを特徴としている。
【００２９】
即ち、吐出ヘッド内の液に気泡が発生すると吐出異常の原因となり得るので、吐出異常を検出した際に吐出ヘッドを振動させ液内に気泡を溶け込ませることで吐出異常を改善させることができる。
【００３０】
吐出異常検出手段は、吐出ヘッド内にセンサを備え、該センサの検出信号に基づいて記録ヘッド内の液の状態を判断する態様や、吐出結果を撮像してその結果画像から吐出異常を判断する態様がある。
【００３１】
また、請求項５に示すように、請求項３又は４記載の発明において、前記振動発生手段を移動させる移動手段と、前記気泡検出手段によって気泡の発生位置が特定されると前記気泡の発生位置に前記移動手段を用いて前記振動発生手段を移動させるように制御する移動制御手段と、を備えたことを特徴としている。
【００３２】
即ち、気泡検出手段によって気泡が発生している位置を含んだ領域を特定し、該領域を集中的に振動させることで効率よく気泡を消滅させることができる。
【００３３】
特に、被吐出媒体の全幅に対応した長さを有するラインヘッドではヘッドが大型化しているために吐出ヘッド全体に振動を与えても振動伝播にムラが生じることがある。気泡が発生した位置（領域）を特定して、そこに集中的に振動を与えると効果的である。
【００３４】
また、多数の吐出孔を有する吐出ヘッドにおいて、二次元的に液吐出孔及び液吐出孔に対応した液室が配列されているマトリクス型の吐出ヘッドでは、気泡が発生した液室を特定してその液室に振動を与えることで、より効果的に振動エネルギーを使うことができる。
【００３５】
振動発生手段は吐出孔形成面側を移動させるように構成してもよいし、吐出孔形成面と反対面側を移動させるように構成してもよい。
【００３６】
また、請求項６に示すように、請求項１乃至５のうち何れか１項に記載の発明において、前記振動発生手段は超音波振動発生手段を含むことを特徴としている。
【００３７】
即ち、吐出ヘッドに超音波振動を与えることができるので、該吐出ヘッド内の液に発生した気泡を効率よくインク内に溶け込ませることが可能になる。
【００３８】
また、請求項７に示すように、請求項１乃至６のうち何れか１項に記載の発明において、前記吐出ヘッドの液の温度を調節する温度調節手段と、前記振動発生手段から与えられた振動によって前記吐出ヘッド内の気泡を液の中に溶け込ませると前記吐出ヘッド内の液の温度を下げるように前記温度調節手段を制御する温度調節制御手段と、を備えたことを特徴としている。
【００３９】
即ち、液に気泡を溶解させた後に液の温度を下げることで、液内に溶解させた気泡が再気泡化することを防止できる。また、吐出ヘッド内の液の温度を可変可能にすることで、より多くの気泡を液に溶解させることが可能になる。
【００４０】
また、請求項８に示すように、請求項７記載の発明において、前記吐出ヘッドから吐出される液滴に吐出力を与える圧電素子に印加する駆動信号を制御する駆動制御手段を備え、前記駆動制御手段は、前記吐出ヘッド内の液の温度が下げられることで高粘度化した液を吐出できるように前記圧電素子に印加する駆動信号を変更することを特徴としている。
【００４１】
例えば、ピエゾ型圧電素子では、該圧電素子に印加される電圧に比例した吐出力を発生させるので、高粘度液を吐出させるためには印加電圧を高くすればよい。
【００４２】
また、請求項９に示すように、請求項１乃至８のうち何れか１項に記載の発明において、前記吐出ヘッドに液を供給する供給路に前記吐出ヘッドに供給される液の溶存気体量を計測する溶存気体計測手段を備えたことを特徴としている。
【００４３】
即ち、吐出ヘッドに供給される液の溶存気体量を把握して、液の溶存気体量が予め定められたしきい値を超えて気泡化する可能性がある場合には吐出ヘッドに振動を与えることで気泡化を予防することができる。
【００４４】
溶存気体測定手段には、液内の酸素量を計測する溶存酸素計が含まれていてもよい。
【００４５】
また、請求項１０に示すように、請求項１乃至９のうち何れか１項に記載の発明において、前記振動発生手段を前記記録ヘッドの内部に備えたことを特徴としている。
【００４６】
振動発生手段を記録ヘッドの内部に備えることで、記録ヘッド周辺の省スペース化に寄与する。
【００４７】
また、請求項１１に示すように、請求項１０記載の発明において、前記吐出ヘッドの内部に備えられた振動発生手段は、前記吐出ヘッドから吐出される液滴に吐出力を与える吐出用圧電素子或いは前記吐出ヘッド内の気泡を検出する気泡検出手段に用いられる圧電素子のうち少なくとも何れか一方と兼用されることを特徴としている。
【００４８】
即ち、振動発生手段を吐出用の圧電素子や気泡検出手段として用いられる圧電素子と兼用することで、吐出ヘッド内の省スペース化に寄与する。
【００４９】
また、請求項１２に示すように、請求項５乃至１１のうち何れか１項に記載の発明において、前記吐出ヘッドは、被吐出媒体の記録可能幅に対応した幅を有するフルライン型の吐出ヘッドを含むと共に、マトリクス状に配列された液滴を吐出させる吐出孔と、前記吐出孔から吐出される液を蓄える液室と、を備え、前記移動制御手段は、前記吐出異常検出手段によって吐出異常が検出された吐出孔に対応した液室の形成領域へ前記移動手段を用いて前記振動発生手段を移動させ、振動発生手段は当該液室の形成領域を含んだ領域に振動を与えて当該液室内の液に気泡を溶け込ませることを特徴としている。
【００５０】
即ち、複数の吐出孔に対応する液室をマトリクス状に配列させ、被吐出媒体の記録可能幅に対応した長さを有するフルライン型の吐出ヘッドにおいて、気泡が発生した液室を特定し、該液室に振動を与えて該液室内の気泡を液内に溶け込ませることができる。
【００５１】
気泡が発生した液室が複数ある場合、該液室が近隣の液室であれば、複数の液室に同時に振動を与えればよいし、該液室が離れた位置にある場合には、振動発生手段を移動させて複数回に分けて振動付加を行えばよい。
【００５２】
また、前記目的を達成するために請求項１３に係る発明は、被記録媒体上にインク滴を吐出させる記録ヘッドを備えた画像形成装置であって、脱気されたインクを前記記録ヘッドに供給する供給部と、前記記録ヘッドから吐出されるインク滴の吐出方向と略平行な方向から同方向成分の振動を前記記録ヘッドに与えることで前記記録ヘッド内のインクに発生した気泡を該インク内に溶け込ませる振動発生手段と、を備えたことを特徴としている。
【００５３】
また、前記目的を達成するために請求項１４に係る発明は、被記録媒体上に液滴を吐出させる吐出ヘッドを備えた液吐出装置の気泡処理方法であって、脱気処理を施された液が供給された前記吐出ヘッドに振動発生手段を用いて振動を与えて、前記吐出ヘッド内の液に発生した気泡を該液に溶け込ませることを特徴としている。
【００５４】
また、請求項１５に示すように、請求項１４に係る発明は、請求項１４に記載した気泡処理方法を前記液吐出装置の電源オン時に実行することを特徴としている。
【００５５】
即ち、装置の電源オン時（装置立ち上げ時）に気泡処理を行うことで、吐出動作中に吐出ヘッド内に気泡が発生したことにより吐出動作を停止することを予防できる。
【００５６】
電源オン時には該装置が非常停止した場合の電源再立ち上げ（イニシャライズ動作）や、オペレータによるリセット動作など、装置の初期化動作を含んでいてもよい。
【００５７】
また、請求項１６に示すように、請求項１４又は１５に係る発明は、前記吐出ヘッドの外部に備えられた振動発生手段と同期して前記吐出ヘッド内部に備えられた前記吐出ヘッドから吐出される液に吐出力を与える吐出用圧電素子及び前記吐出ヘッドの吐出異常を検出する吐出異常検出用圧電素子を動作させることを特徴としている。
【００５８】
即ち、外部に設けられた振動発生手段に同期して吐出用圧電素子や吐出異常検出用圧電素子を動作させると、吐出ヘッドを効果的に振動させることができ、気泡の溶解効率を高めることができる。
【発明の効果】
【００５９】
本発明によれば、脱気されたインクが供給される吐出ヘッドに液吐出方向と略平行な方向から同方向成分を有する振動を与える振動発生手段を備えたので、記録ヘッド内の液に発生した気泡を該液内に溶け込ませることができる。したがって、吐出ヘッド内に気泡が発生することを防止できると共に、該気泡を原因とする吐出異常を防止することができる。また、吐出ヘッド内の液に発生した気泡を検出する気泡検出手段を備えたので、該吐出ヘッド内の液に気泡が検出されると吐出ヘッドに振動を与え、気泡を消滅させることができる。該振動発生手段から吐出ヘッドに与えられる振動は超音波振動を適用するとよい。
【発明を実施するための最良の形態】
【００６０】
以下、添付図面に従って本発明の好ましい実施の形態について詳説する。
【００６１】
〔インクジェット記録装置の全体構成〕
図１は本発明の実施形態に係るインクジェット記録装置の全体構成図である。同図に示したように、このインクジェット記録装置１０は、インクの色ごとに設けられた複数の印字ヘッド１２Ｋ，１２Ｃ，１２Ｍ，１２Ｙを有する印字部１２と、各印字ヘッド１２Ｋ，１２Ｃ，１２Ｍ，１２Ｙに供給するインクを貯蔵しておくインク貯蔵／装填部１４と、記録紙１６を供給する給紙部１８と、記録紙１６のカールを除去するデカール処理部２０と、前記印字部１２のノズル面（インク吐出面）に対向して配置され、記録紙１６の平面性を保持しながら記録紙１６を搬送する吸着ベルト搬送部２２と、印字部１２による印字結果を読み取る印字検出部２４と、印画済みの記録紙（プリント物）を外部に排紙する排紙部２６と、を備えている。
【００６２】
図１では、給紙部１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００６３】
複数種類の記録紙を利用可能な構成にした場合、紙の種類情報を記録したバーコード或いは無線タグなどの情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００６４】
給紙部１８から送り出される記録紙１６はマガジンに装填されていたことによる巻きクセが残り、カールする。このカールを除去するために、デカール処理部２０においてマガジンの巻きクセ方向と逆方向に加熱ドラム３０で記録紙１６に熱を与える。このとき、多少印字面が外側に弱いカールとなるように加熱温度を制御するとより好ましい。
【００６５】
ロール紙を使用する装置構成の場合、図１のように、裁断用のカッター（第１のカッター）２８が設けられており、該カッター２８によってロール紙は所望のサイズにカットされる。カッター２８は、記録紙１６の搬送路幅以上の長さを有する固定刃２８Ａと、該固定刃２８Ａに沿って移動する丸刃２８Ｂとから構成されており、印字裏面側に固定刃２８Ａが設けられ、搬送路を挟んで印字面側に丸刃２８Ｂが配置される。なお、カット紙を使用する場合には、カッター２８は不要である。
【００６６】
デカール処理後、カットされた記録紙１６は、吸着ベルト搬送部２２へと送られる。吸着ベルト搬送部２２は、ローラ３１、３２間に無端状のベルト３３が巻き掛けられた構造を有し、少なくとも印字部１２のノズル面及び印字検出部２４のセンサ面に対向する部分が水平面（フラット面）をなすように構成されている。
【００６７】
ベルト３３は、記録紙１６の幅よりも広い幅寸法を有しており、ベルト面には多数の吸引孔（不図示）が形成されている。図１に示したとおり、ローラ３１、３２間に掛け渡されたベルト３３の内側において印字部１２のノズル面及び印字検出部２４のセンサ面に対向する位置には吸着チャンバ３４が設けられており、この吸着チャンバ３４をファン３５で吸引して負圧にすることによってベルト３３上の記録紙１６が吸着保持される。
【００６８】
ベルト３３が巻かれているローラ３１、３２の少なくとも一方にモータ（図１中不図示，図８中符号８８として記載）の動力が伝達されることにより、ベルト３３は図１上の時計回り方向に駆動され、ベルト３３上に保持された記録紙１６は図１の左から右へと搬送される。
【００６９】
縁無しプリント等を印字するとベルト３３上にもインクが付着するので、ベルト３３の外側の所定位置（印字領域以外の適当な位置）にベルト清掃部３６が設けられている。ベルト清掃部３６の構成について詳細は図示しないが、例えば、ブラシ・ロール、吸水ロール等をニップする方式、清浄エアーを吹き掛けるエアーブロー方式、或いはこれらの組み合わせなどがある。清掃用ロールをニップする方式の場合、ベルト線速度とローラ線速度を変えると清掃効果が大きい。
【００７０】
なお、吸着ベルト搬送部２２に代えて、ローラ・ニップ搬送機構を用いる態様も考えられるが、印字領域をローラ・ニップ搬送すると、印字直後に用紙の印字面をローラが接触するので画像が滲み易いという問題がある。したがって、本例のように、印字領域では画像面を接触させない吸着ベルト搬送が好ましい。
【００７１】
吸着ベルト搬送部２２により形成される用紙搬送路上において印字部１２の上流側には、加熱ファン４０が設けられている。加熱ファン４０は、印字前の記録紙１６に加熱空気を吹き付け、記録紙１６を加熱する。印字直前に記録紙１６を加熱しておくことにより、インクが着弾後乾き易くなる。
【００７２】
印字部１２は、最大紙幅に対応する長さを有するライン型ヘッドを紙送り方向と直交方向（主走査方向）に配置した、いわゆるフルライン型のヘッドとなっている（図２参照）。詳細な構造例は後述するが（図３乃至図５）、各印字ヘッド１２Ｋ，１２Ｃ，１２Ｍ，１２Ｙは、図２に示したように、本インクジェット記録装置１０が対象とする最大サイズの記録紙１６の少なくとも一辺を超える長さにわたってインク吐出口（ノズル）が複数配列されたライン型ヘッドで構成されている。
【００７３】
記録紙１６の送り方向（以下、記録紙搬送方向と記載）に沿って上流側から黒（Ｋ）、シアン（Ｃ）、マゼンタ（Ｍ）、イエロー（Ｙ）の順に各色インクに対応した印字ヘッド１２Ｋ，１２Ｃ，１２Ｍ，１２Ｙが配置されている。記録紙１６を搬送しつつ各印字ヘッド１２Ｋ，１２Ｃ，１２Ｍ，１２Ｙからそれぞれ色インクを吐出することにより記録紙１６上にカラー画像を形成し得る。
【００７４】
このように、紙幅の全域をカバーするフルラインヘッドがインク色ごとに設けられてなる印字部１２によれば、副走査方向について記録紙１６と印字部１２を相対的に移動させる動作を一回行うだけで（すなわち１回の副走査で）、記録紙１６の全面に画像を記録することができる。これにより、印字ヘッドが主走査方向に往復動作するシャトル型ヘッドに比べて高速印字が可能であり、生産性を向上させることができる。
【００７５】
なお、本例では、ＫＣＭＹの標準色（４色）の構成を例示したが、インク色や色数の組み合わせについては本実施形態に限定されず、必要に応じて淡インク、濃インクを追加してもよい。例えば、ライトシアン、ライトマゼンタなどのライト系インクを吐出する印字ヘッドを追加する構成も可能である。
【００７６】
各印字ヘッド１２Ｋ，１２Ｃ，１２Ｍ，１２Ｙには、該印字ヘッド内のインクの温度を一定に保つようにヘッド温調（図１には不図示、図７に符号１１２として図示）を備えている。該ヘッド温調手段は、印字ヘッド１２Ｋ，１２Ｃ，１２Ｍ，１２Ｙ内のインク温度を計測する温度センサと該インクを加熱するヒータなどの加熱手段及び該インクを冷却する冷却ファンなどの冷却手段を備えている。
【００７７】
図１に示したように、インク貯蔵／装填部１４は、各印字ヘッド１２Ｋ，１２Ｃ，１２Ｍ，１２Ｙに対応する色のインクを貯蔵するタンクを有し、各タンクは不図示の管路を介して各印字ヘッド１２Ｋ，１２Ｃ，１２Ｍ，１２Ｙと連通されている。また、インク貯蔵／装填部１４は、インク残量が少なくなるとその旨を報知する報知手段（表示手段、警告音発生手段）を備えるとともに、色間の誤装填を防止するための機構を有している。
【００７８】
印字検出部２４は、印字部１２の打滴結果を撮像するためのイメージセンサを含み、該イメージセンサによって読み取った打滴画像からノズルの目詰まりその他の吐出不良をチェックする手段として機能する。
【００７９】
本例の印字検出部２４は、少なくとも各印字ヘッド１２Ｋ，１２Ｃ，１２Ｍ，１２Ｙによるインク吐出幅（画像記録幅）よりも幅の広い受光素子列を有するラインセンサで構成される。このラインセンサは、赤（Ｒ）の色フィルタが設けられた光電変換素子（画素）がライン状に配列されたＲセンサ列と、緑（Ｇ）の色フィルタが設けられたＧセンサ列と、青（Ｂ）の色フィルタが設けられたＢセンサ列と、からなる色分解ラインＣＣＤセンサで構成されている。なお、ラインセンサに代えて、受光素子が二次元配列されて成るエリアセンサを用いることも可能である。
【００８０】
印字検出部２４は、各色の印字ヘッド１２Ｋ，１２Ｃ，１２Ｍ，１２Ｙにより印字されたテストパターンを読み取り、各ヘッドの吐出検出を行う。吐出判定は、吐出の有無、ドットサイズの測定、ドット着弾位置の測定などで構成される。吐出検出の詳細については後述する。
【００８１】
印字検出部２４の後段には、後乾燥部４２が設けられている。後乾燥部４２は、印字された画像面を乾燥させる手段であり、例えば、加熱ファンが用いられる。印字後のインクが乾燥するまでは印字面と接触することは避けたほうが好ましいので、熱風を吹き付ける方式が好ましい。
【００８２】
多孔質のペーパーに染料系インクで印字した場合などでは、加圧によりペーパーの孔を塞ぐことでオゾンなど、染料分子を壊す原因となるものと接触することを防ぐことで画像の耐候性がアップする効果がある。
【００８３】
後乾燥部４２の後段には、加熱・加圧部４４が設けられている。加熱・加圧部４４は、画像表面の光沢度を制御するための手段であり、画像面を加熱しながら所定の表面凹凸形状を有する加圧ローラ４５で加圧し、画像面に凹凸形状を転写する。
【００８４】
こうして生成されたプリント物は排紙部２６から排出される。本来プリントすべき本画像（目的の画像を印刷したもの）とテスト印字とは分けて排出することが好ましい。このインクジェット記録装置１０では、本画像のプリント物と、テスト印字のプリント物とを選別してそれぞれの排出部２６Ａ、２６Ｂへと送るために排紙経路を切り替える不図示の選別手段が設けられている。なお、大きめの用紙に本画像とテスト印字とを同時に並列に形成する場合は、カッター（第２のカッター）４８によってテスト印字の部分を切り離す。カッター４８は、排紙部２６の直前に設けられており、画像余白部にテスト印字を行った場合に本画像とテスト印字部を切断するためのものである。カッター４８の構造は前述した第１のカッター２８と同様であり、固定刃４８Ａと丸刃４８Ｂとから構成される。
【００８５】
また、図１には示さないが、本画像の排出部２６Ａには、オーダー別に画像を集積するソーターが設けられる。
【００８６】
次に、印字ヘッドの構造について説明する。インク色ごとに設けられている各印字ヘッド１２Ｋ，１２Ｃ，１２Ｍ，１２Ｙの構造は共通しているので、以下、これらを代表して符号５０によって印字ヘッドを示すものとする。
【００８７】
図３(a) は印字ヘッド５０の構造例を示す平面透視図であり、図３(b) はその一部の拡大図である。また、図３(c) は印字ヘッド５０の他の構造例を示す平面透視図、図４はインク室ユニットの立体的構成を示す断面図（図３(a) 中の４−４線に沿う断面図）である。記録紙面上に印字されるドットピッチを高密度化するためには、印字ヘッド５０におけるノズルピッチを高密度化する必要がある。本例の印字ヘッド５０は、図３(a) 〜(c) 及び図４に示したように、インク滴が吐出するノズル５１と、各ノズル５１に対応する圧力室５２等からなる複数のインク室ユニット５３を千鳥でマトリックス状に配置させた構造を有し、これにより見かけ上のノズルピッチの高密度化を達成している。
【００８８】
即ち、本実施形態における印字ヘッド５０は、図３(a) ，(b) に示すように、インクを吐出する複数のノズル５１が印字媒体送り方向と略直交する方向に印字媒体の全幅に対応する長さにわたって配列された１列以上のノズル列を有するフルラインヘッドである。
【００８９】
また、図３(c) に示すように、短尺の２次元に配列されたヘッド５０’を千鳥状に配列して繋ぎ合わせて、印字媒体の全幅に対応する長さとしてもよい。
【００９０】
各ノズル５１に対応して設けられている圧力室５２は、その平面形状が概略正方形となっており、対角線上の両隅部にノズル５１と供給口（不図示）が設けられている。各圧力室５２は供給口を介して共通流路（不図示）と連通されている。
【００９１】
図４に示すように圧力室５２の天面を構成している加圧板５６には個別電極５７を備えたアクチュエータ５８が接合されており、個別電極５７に駆動電圧を印加することによってアクチュエータ５８が変形してノズル５１からインクが吐出される。インクが吐出されると、共通流路５５から供給口５４を通って新しいインクが圧力室５２に供給される。
【００９２】
なお、図４に示したインク室ユニット５３の構造はPZT （ピエゾ）型アクチュエータを備えたインク室ユニットの基本的な構造を示しており、これ以外にも様々な構造を有するインク室ユニットを適用することができる。
【００９３】
かかる構造を有する多数のインク室ユニット５３を図５に示す如く、主走査方向に沿う行方向及び主走査方向に対して直交しない一定の角度θを有する斜めの列方向とに沿って一定の配列パターンで格子状に配列させた構造になっている。主走査方向に対してある角度θの方向に沿ってインク室ユニット５３を一定のピッチｄで複数配列する構造により、主走査方向に並ぶように投影されたノズルのピッチＰはｄ× cosθとなる。
【００９４】
すなわち、主走査方向については、各ノズル５１が一定のピッチＰで直線状に配列されたものと等価的に取り扱うことができる。このような構成により、主走査方向に並ぶように投影されるノズル列が１インチ当たり2400個（2400ノズル／インチ）におよぶ高密度のノズル構成を実現することが可能になる。以下、説明の便宜上、ヘッドの長手方向（主走査方向）に沿って各ノズル５１が一定の間隔（ピッチＰ）で直線状に配列されているものとして説明する。
【００９５】
なお、用紙の全幅に対応したノズル列を有するフルラインヘッドで、ノズルを駆動する時には、（１）全ノズルを同時に駆動する、（２）ノズルを片方から他方に向かって順次駆動する、（３）ノズルをブロックに分割して、ブロックごとに片方から他方に向かって順次駆動する等が行われ、用紙の幅方向（記録紙搬送方向と直交する方向）に１ライン又は１個の帯状を印字するようなノズルの駆動を主走査と定義する。
【００９６】
特に、図５に示すようなマトリクスに配置されたノズル５１を駆動する場合は、上記（３）のような主走査が好ましい。即ち、ノズル５１-11 、５１-12 、５１-13 、５１-14 、５１-15 、５１-16 を１つのブロックとし（他にはノズル５１-21 、…、５１-26 を１つのブロック、ノズル５１-31 、…、５１-36 を１つのブロック、…として）記録紙１６の搬送速度に応じてノズル５１-11 、５１-12 、…、５１-16 を順次駆動することで記録紙１６の幅方向に１ラインを印字する。
【００９７】
一方、上述したフルラインヘッドと用紙とを相対移動することによって、上述した主走査で形成された１ライン又は１個の帯状の印字を繰り返し行うことを副走査と定義する。
【００９８】
なお、本発明の実施に際してノズルの配置構造は図示の例に限定されない。また、本実施形態では、ピエゾ素子（圧電素子）に代表されるアクチュエータ５８の変形によってインク滴を飛ばす方式が採用されているが、本発明の実施に際して、インクを吐出させる方式は特に限定されず、ピエゾジェット方式に代えて、ヒータなどの発熱体によってインクを加熱して気泡を発生させ、その圧力でインク滴を飛ばすサーマルジェット方式など、各種方式を適用できる。
【００９９】
図６はインクジェット記録装置１０におけるインク供給系の構成を示した概要図である。
【０１００】
インク供給タンク６０はインクを供給するための基タンクであり、図１で説明したインク貯蔵／装填部１４に設置される。インク供給タンク６０の形態には、インク残量が少なくなった場合に、不図示の補充口からインクを補充する方式と、タンクごと交換するカートリッジ方式とがある。使用用途に応じてインク種類を変える場合には、カートリッジ方式が適している。この場合、インクの種類情報をバーコード等で識別して、インク種類に応じた吐出制御を行うことが好ましい。なお、図６のインク供給タンク６０は、先に記載した図１のインク貯蔵／装填部１４と等価のものである。
【０１０１】
図６に示したように、インク供給タンク６０と印字ヘッド５０の中間には、サブタンク６１、異物や気泡を除去するためにフィルタ６２、印字ヘッド５０に供給されるインクから溶存気体を除去する脱気処理を行う脱気装置６３が設けられている。
【０１０２】
サブタンク６１は、ヘッドの内圧変動を防止するダンパー効果及びリフィルを改善する機能を有している。
【０１０３】
また、フィルタ６２のフィルタ・メッシュサイズは、ノズル径と同等若しくはノズル径以下（一般的には、２０μｍ程度）とすることが好ましい。
【０１０４】
脱気装置６３には気体透過性を有する中空繊維束から成るインク流路の周囲を真空ポンプ等の減圧手段によって減圧することで、インク内に溶存している気体を分離して大気中に排出する減圧脱気方式が用いられる。なお脱気装置６３には前記減圧脱気方式の他に、超音波振動式、遠心分離方式、また、これ以外の方式を適用してもよい。
【０１０５】
印字ヘッド５０近傍のインク流路にインクの溶存気体量を計測する溶存酸素計（不図示）を備え、該溶存酸素計によってインク内の溶存気体量を監視し、溶存気体量が所定の値を超えた場合に脱気装置６３を用いて印字ヘッド５０に供給されるインクに脱気処理を施す態様が好ましい。
【０１０６】
なお、印字ヘッド５０に供給されるインクに、溶存気体量が所定量以下になるように予め脱気処理が施された脱気インクを用いる場合には、脱気装置６３を省略することもできる。
【０１０７】
また、インクジェット記録装置１０には、ノズル５１の乾燥防止又はノズル近傍のインク粘度上昇を防止するための手段としてのキャップ６４と、ノズル面の清掃手段としてのクリーニングブレード６６とが設けられている。
【０１０８】
これらキャップ６４及びクリーニングブレード６６を含むメンテナンスユニットは、不図示の移動機構によって印字ヘッド５０に対して相対移動可能であり、必要に応じて所定の退避位置から印字ヘッド５０下方のメンテナンス位置に移動される。
【０１０９】
キャップ６４は、図示せぬ昇降機構によって印字ヘッド５０に対して相対的に昇降変位される。電源ＯＦＦ時や印刷待機時にキャップ６４を所定の上昇位置まで上昇させ、印字ヘッド５０に密着させることにより、ノズル面をキャップ６４で覆う。
【０１１０】
印字中又は待機中において、特定のノズル５１の使用頻度が低くなり、ある時間以上インクが吐出されない状態が続くと、ノズル近傍のインク溶媒が蒸発してインク粘度が高くなってしまう。このような状態になると、アクチュエータ５８が動作してもノズル５１からインクを吐出できなくなってしまう。
【０１１１】
このような状態になる前に（アクチュエータ５８の動作により吐出が可能な粘度の範囲内で）アクチュエータ５８を動作させ、その劣化インク（粘度が上昇したノズル近傍のインク）を排出すべくキャップ６４（インク受け）に向かって予備吐出（パージ、空吐出、つば吐き、ダミー吐出）が行われる。
【０１１２】
また、印字ヘッド５０内（圧力室５２内）のインクに気泡が混入した場合、アクチュエータ５８が動作してもノズルからインクを吐出させることができなくなる。このような場合には印字ヘッド５０にキャップ６４を当て、吸引ポンプ６７で圧力室５２内のインク（気泡が混入したインク）を吸引により除去し、吸引除去したインクを回収タンク６８へ送液する。
【０１１３】
この吸引動作は、初期のインクのヘッドへの装填時、或いは長時間の停止後の使用開始時にも粘度上昇（固化）した劣化インクの吸い出しが行われる。なお、吸引動作は圧力室５２内のインク全体に対して行われるので、インク消費量が大きくなる。したがって、インクの粘度上昇が小さい場合には予備吐出を行う態様が好ましい。
【０１１４】
なお、本インクジェット記録装置１０には振動発生手段（図６には不図示、図７及び図８に符号１０２として図示）によって印字ヘッド５０に振動を与えて印字ヘッド５０内に発生した気泡をインク内に溶解させ気泡を消滅させる気泡処理機能を備えている。該気泡処理機能の詳細は後述する。
【０１１５】
クリーニングブレード６６は、ゴムなどの弾性部材で構成されており、図示せぬブレード移動機構（ワイパー）により印字ヘッド５０のインク吐出面（ノズル板表面）に摺動可能である。ノズル板にインク液滴又は異物が付着した場合、クリーニングブレード６６をノズル板に摺動させることでノズル板表面を拭き取り、ノズル板表面を清浄する。なお、該ブレード機構によりインク吐出面の汚れを清掃した際に、該ブレードによってノズル５１内に異物が混入することを防止するために予備吐出が行われる。
【０１１６】
図７はインクジェット記録装置１０のシステム構成を示す要部ブロック図である。インクジェット記録装置１０は、通信インターフェース７０、システムコントローラ７２、メモリ７４、モータドライバ７６、ヒータドライバ７８、プリント制御部８０、画像バッファメモリ８２、ヘッドドライバ８４等を備えている。
【０１１７】
通信インターフェース７０は、ホストコンピュータ８６から送られてくる画像データを受信するインターフェース部である。通信インターフェース７０にはＵＳＢ、ＩＥＥＥ１３９４、イーサネット、無線ネットワークなどのシリアルインターフェースやセントロニクスなどのパラレルインターフェースを適用することができる。この部分には、通信を高速化するためのバッファメモリ（不図示）を搭載してもよい。ホストコンピュータ８６から送出された画像データは通信インターフェース７０を介してインクジェット記録装置１０に取り込まれ、一旦メモリ７４に記憶される。メモリ７４は、通信インターフェース７０を介して入力された画像を一旦格納する記憶手段であり、システムコントローラ７２を通じてデータの読み書きが行われる。メモリ７４は、半導体素子からなるメモリに限らず、ハードディスクなど磁気媒体を用いてもよい。
【０１１８】
システムコントローラ７２は、通信インターフェース７０、メモリ７４、モータドライバ７６、ヒータドライバ７８等の各部を制御する制御部である。システムコントローラ７２は、中央演算処理装置（ＣＰＵ）及びその周辺回路等から構成され、ホストコンピュータ８６との間の通信制御、メモリ７４の読み書き制御等を行うとともに、搬送系のモータ８８やヒータ８９を制御する制御信号を生成する。
【０１１９】
モータドライバ７６は、システムコントローラ７２からの指示にしたがってモータ８８を駆動するドライバ（駆動回路）である。ヒータドライバ７８は、システムコントローラ７２からの指示にしたがって後乾燥部４２等のヒータ８９を駆動するドライバである。
【０１２０】
プリント制御部８０は、システムコントローラ７２の制御に従い、メモリ７４内の画像データから印字制御用の信号を生成するための各種加工、補正などの処理を行う信号処理機能を有し、生成した印字制御信号（印字データ）をヘッドドライバ８４に供給する制御部である。プリント制御部８０において所要の信号処理が施され、該画像データに基づいてヘッドドライバ８４を介して印字ヘッド５０のインク液滴の吐出量や吐出タイミングの制御が行われる。これにより、所望のドットサイズやドット配置が実現される。
【０１２１】
プリント制御部８０には画像バッファメモリ８２が備えられており、プリント制御部８０における画像データ処理時に画像データやパラメータなどのデータが画像バッファメモリ８２に一時的に格納される。なお、図７において画像バッファメモリ８２はプリント制御部８０に付随する態様で示されているが、メモリ７４と兼用することも可能である。また、プリント制御部８０とシステムコントローラ７２とを統合して一つのプロセッサで構成する態様も可能である。
【０１２２】
ヘッドドライバ８４はプリント制御部８０から与えられる印字データに基づいて各色の印字ヘッド５０のアクチュエータを駆動する。ヘッドドライバ８４にはヘッドの駆動条件を一定に保つためのフィードバック制御系を含んでいてもよい。
【０１２３】
印字検出部２４は、図１で説明したように、ラインセンサを含むブロックであり、記録紙１６に印字された画像を読み取り、所要の信号処理などを行って印字状況（吐出の有無、打滴のばらつきなど）を検出し、その検出結果をプリント制御部８０に提供する。
【０１２４】
プリント制御部８０は、必要に応じて印字検出部２４から得られる情報に基づいて印字ヘッド５０に対する各種補正を行う。
【０１２５】
なお、図１に示した例では、印字検出部２４が印字面側に設けられており、ラインセンサの近傍に配置された冷陰極管などの光源（不図示）によって印字面を照明し、その反射光をラインセンサで読み取る構成になっているが、本発明の実施に際しては他の構成でもよい。
【０１２６】
本インクジェット記録装置１０には、印字ヘッド５０内のインクに含まれる気泡を検出する気泡検出手段１００を備え、気泡検出手段１００による検出結果に基づいて該気泡をインク内に溶け込ませるために、印字ヘッド５０（インク室ユニット５３）に振動を与える振動発生手段１０２を備えている。
【０１２７】
該振動発生手段１０２の詳細は後述するが、振動発生手段１０２はシステムコントローラ７２から送られる指令信号で制御される振動発生手段用ドライバ１０４によって駆動される。
【０１２８】
また、気泡が検出されたインク室ユニットへ振動発生手段１０２を移動させる移動手段１０６が備えられている。移動手段１０６はボールねじ、リニアガイド等（不図示）の機構部材やモータ、アクチュエータ等 (不図示）の駆動部材、及びセンサ等 (不図示）の検出部材などを有する構成であり、システムコントローラ７２から制御される移動手段用ドライバ１０８によって該駆動部材が駆動される。
【０１２９】
図６に示したインク供給系に溶存酸素計１１０を備える態様では、溶存酸素計１１０による計測結果がシステムコントローラ７２に送られ、この計測結果に基づいて脱気装置６３や振動発生手段１０２が駆動される。
【０１３０】
印字ヘッド５０には、内部に貯留されるインクの温度を一定に保つためにヘッド温調手段１１２を備えている。ヘッド温調手段１１２は記録ヘッド内のインクの温度を測る温度センサ等の温度検出手段を含む構成になっており、該温度センサの計測値がシステムコントローラ７２に送られ、システムコントローラ７２によってインク温度が設定値になるように制御が行われる。
【０１３１】
〔気泡処理〕
次に、本インクジェット記録装置１０に備えられた気泡処理機能について詳説する。
【０１３２】
図８に示すように、印字ヘッド５０には外部に設けられた振動発生手段１０２によって超音波振動が与えられる。
【０１３３】
振動発生手段１０２はインク吐出側と反対側、即ち、印字ヘッド５０の上面側に備えられており、印字ヘッド５０の上面側から印字ヘッド５０に超音波振動を与えることができる。なお、振動発生手段を印字ヘッド５０のインク吐出面側に設けてもよい。
【０１３４】
振動発生手段１０２は振動発生源である振動子１２０と該振動子１２０が発生させる振動を被振動物である印字ヘッド５０に伝達させるホーン１２２を備えた構造を有している。ホーン１２２を介して印字ヘッドに振動を与える態様は、ホーン１２２を印字ヘッド５０に接触させて直接的に振動を伝達させてもよいし、空気を介して被接触の状態で印字ヘッド５０を振動させてもよい。
【０１３５】
また、印字ヘッド５０に与える振動の方向は少なくともインクの吐出方向と略平行な成分を有する振動であればよい。インク室ユニット５３がマトリクス状に配列されている場合、記録紙搬送方向に略平行な方向の振動や、記録紙搬送方向と略直交する方向に平行な振動を印字ヘッド５０の端部から与えても、印字ヘッド５０の中央部周辺のインク室ユニットには効率よく振動が伝搬されない可能性がある。したがって、印字ヘッド５０の上方側及び下方側からインク吐出方向に略平行な方向に同方向の振動を与えるように構成すると、印字ヘッド５０内の全てのインク室ユニット５３に効率よく振動を与えることが可能になる。
【０１３６】
更に、超音波振動を与える際に気泡がインクの中に溶け込みやすいように、インクに流れを与えて攪拌させるとより効果的に気泡を溶け込ませることができる。
【０１３７】
インク供給タンク６０及びサブタンク６１を含んだインク供給系や印字ヘッド５０には、脱気されたインクが供給されている。脱気されたインクは溶存させることができる気体量に余裕があるので、図８に示した振動発生手段を用いて印字ヘッド５０に超音波振動を与えることで、印字ヘッド５０内の気泡をインク内に溶け込ませることができる。
【０１３８】
本インクジェット記録装置１０では、図７に示した、気泡検出手段１００によって印字ヘッド内に気泡が検出されると、振動発生手段１０２を用いて印字ヘッド５０に超音波振動が与えられる。
【０１３９】
図９(a) 、(b) には気泡検出手段１００の一例を示す。図９(a) は印字ヘッド５０内に気泡検出手段１００を備えた態様を示し、図９(b) は、図８に示したサブタンク６１から印字ヘッド５０へインクを供給する供給ホース１３０に気泡検出手段１００を備えた態様を示している。
【０１４０】
図９(a) では、気泡検出手段１００を印字ヘッド５０のインク吐出側面と反対側になる上面に備える態様を例示しているが、気泡検出手段１００は印字ヘッド５０の内部に備えてもよいし、もちろん、他の位置に備えてもよい。
【０１４１】
また、図９(b) に示した、気泡検出手段１００を供給ホース１３０に備える態様では、例えば、供給ホース１３０の少なくとも一部を透明或いは半透明部材で構成し、該透明部分に光を透過させて、その透過光を検出するように構成してもよい。
【０１４２】
気泡検出手段１００による気泡の検出方式の一例を図１０に示す。図９(a) に示した、印字ヘッド５０内に気泡検出手段１００を備える態様では、Ｘ線を用いて印字ヘッド５０
内を透過させて気泡を検出する方法や、図１０のインク室ユニット５３の断面構造に示すように、インク室ユニット５３の少なくとも一部の壁面は透明部材を含んだキャビティプレート１４０、１４２で構成してインク室ユニット５３内をＣＣＤ１４６や光学式センサ１４８などを用いて光学的に気泡を検出する方法などを適用することができる。
【０１４３】
図１０に示した態様では、圧力室５２のノズル形成面側（加圧板５６）に吐出用のアクチュエータ５８を備え、ノズル形成面と対向する圧力室上面は透明部材を含んだキャビティプレート１４２で構成する。キャビティプレート１４２の圧力室５２の反対側面には発光部及び受光部を含んだ光学式センサ１４８が備えられている。センサ１４８の発光部から出された光（赤外線、紫外線及び可視光等）を受光部で検出して圧力室５２内の気泡を検出する構成になっている。
【０１４４】
また、共通流路５５の上面壁（図１０中、供給孔と対向する壁面）は透明部材を含んだキャビティプレート１４０で構成して、ＣＣＤ１４６を用いて共通流路５５内を撮像して、共通流路５５内の気泡を検出するように構成されている。
【０１４５】
即ち、印字ヘッド５０内のインクに超音波振動を与えることで、キャビテーション（空洞現象）が発生し、これによる衝撃波で気泡を分裂させる効果を用いている。なお、この際の超音波振動の周波数は数ｋＨｚから数１００ＭＨｚである。望ましくは１０ｋＨｚ〜１ＭＨｚである。なお、振動発生手段から印字ヘッド５０へ与えられる振動は超音波振動に限定されず、振動子が発生し得るあらゆる周波数を持った振動を適用可能である。
【０１４６】
ここで、脱気されていないインクを用いると、超音波振動により気泡が一旦消滅しても、再度気泡化することがあり得るが、脱気されたインクを用いることで再気泡化が起こりにくいと考えられている。
【０１４７】
印字ヘッド５０に超音波振動を与えるときには、印字指示がない場合や、印字を一時中断させるなど、ノズルからインク滴が吐出されない状態が好ましい。印字中等吐出が行われている状態で印字ヘッド５０に超音波振動を与えると、該超音波振動によって印字ヘッド５０内の内圧が変化してしまい吐出異常になることがある。これを防止するために、印字ヘッド５０からインク滴の吐出が行われていないときに超音波振動が付加される。なお、この場合の吐出異常には誤って吐出されてしまう場合を含んでいる。
【０１４８】
また、不吐出（吐出異常）が検出された場合に振動発生手段１０２を用いて印字ヘッド５０に超音波振動を与えるように構成してもよい。不吐出が改善されない場合には印字ヘッド５０に再度超音波振動を与える態様が好ましい。更に、複数回に亘って超音波振動を与えても不吐出が改善されない場合には、当該不吐出の原因はインク内の気泡以外の原因（例えば、ノズル５１内のインクの乾燥、アクチュエータの動作不良等）が考えられるので、吸引などの他の回復処理を施すように制御する態様が好ましい。
【０１４９】
本インクジェット記録装置１０に適用される不吐出検出方法には、印字された結果をみて不吐出ノズルを特定する方法を適用してもよいし、圧力室５２などのインク室ユニット５３内にインク中の気泡を検出するセンサを備え、該センサの検出結果から気泡の存在を検出する方法を適用してもよい。更に、他の様々な不吐出検出方法を適用可能である。
【０１５０】
振動発生手段１０２によって印字ヘッド５０の外部から超音波振動を与える場合には、特定の供給路やインク室ユニット５３へ衝撃波を効率的に照射させるために、図１１に示すように、振動発生手段１０２を移動させる移動手段１０６（図１１には不図示、図７に図示）が備えてられている。なお、図１１中、Ｍ及びＮで示した方向は振動発生手段１０２の移動方向であり、Ｐで示した方向はインクの吐出方向、Ｒで示した方向は記録紙搬送方向である。
【０１５１】
該移動手段１０６の詳細は図示しないが、印字ヘッド５０の上面側を二次元的に移動可能な構成となっている。もちろん、印字ヘッド５０との干渉を避けるために、上下方向に移動可能に構成してもよい。
【０１５２】
また、振動発生手段１０２を固定させ印字ヘッド５０を移動させるように構成してもよいし、印字ヘッド５０及び振動発生手段１０２を共に移動させてもよい。
【０１５３】
図９及び図１０に示した気泡検出手段１００（ＣＣＤ１４６、センサ１４８）を不吐出検出手段として用いて不吐出検出を行い、不吐出ノズルが検出されると、移動手段１０６を用いて振動発生手段１０２を当該ノズルに対応したインク室ユニット５３Ａの形成領域に移動させ、インク室ユニット５３Ａ及びその近傍に集中的に超音波振動が与えられる。
【０１５４】
移動手段１０６を備えることで、振動発生手段１０２を小型化することができる。
【０１５５】
また、振動発生手段１０２を複数備えると、不吐出が検出されたノズルが複数ある場合に同時に超音波振動を与えることができるので効率がよい。また、複数の印字ヘッドを備える場合には、ヘッドごとに振動発生手段を備えてもよいし、１つの振動発生手段１０２を複数の印字ヘッド間で兼用させてもよい。
【０１５６】
また、本例では、不吐出となったノズルに対応したインク室ユニット５３Ａに超音波振動を与える態様を例示したが、不吐出となったノズルに隣接するノズルに対応したインク室ユニットを含んだ領域に超音波振動を与えるように構成してもよい。
【０１５７】
例えば、図３(a) 及び図５に示したマトリクス配列されたノズル５１（インク室ユニット５３）のうち、記録紙搬送方向に並べられた一列のノズル (例えば、図５のノズル51-12 乃至51-16 ）に対応したインク室ユニット形成領域を超音波振動させる態様がある。
【０１５８】
即ち、不吐出ノズルが検出されると、該不吐出ノズルの近傍に位置する複数のノズルに対応したインク室ユニット形成領域に振動発生手段１０２によって超音波振動が与えられる。
【０１５９】
なお、図１０に示した不吐出検出手段（ＣＣＤ１４６、センサ１４８）を図９に示した気泡検出手段１００として適用することも可能である。即ち、インク室ユニットごと（或いは、あるエリアごと）に気泡検出手段１００を備え、気泡が検出されたインク室ユニットの形成位置に振動発生手段１０２を移動させて、当該インク室ユニットに超音波振動を与えてもよい。
【０１６０】
図１２に、印字ヘッド５０の内部に振動発生手段 (圧電素子）２００を備えた態様を示す。図１２は、印字ヘッド５０の有するインク室ユニット５３のうち、任意の１つ（符号５３’）を切り出した斜視図である。
【０１６１】
図１２に示したインク室ユニット５３’はノズル形成面５１Ａと交差する側面壁に、インク滴吐出用のアクチュエータ５８を備えている。また、ノズル形成面５１Ａ及びアクチュエータ５８取り付け面と交差する側面壁２０２には、不吐出検出用センサを兼ねた振動発生手段である圧電素子２００が備えられている。なお、振動発生手段となる圧電素子２００は吐出用アクチュエータ５８と兼用してもよい。
【０１６２】
不吐出検出用の圧電素子を振動発生手段として機能する圧電素子と兼用させる場合、インク内の気泡をより確実に分裂させて消滅させることができるように（気泡を分裂させるのに十分なエネルギーをもつ音波を発生することや気泡に対して音波をフォーカスすることができる）振動発生手段として機能する圧電素子を不吐出検出用の圧電素子２００と独立に備えてもよい。
【０１６３】
圧電素子２００を用いて不吐出ノズルを特定して、該当するインク室ユニットの圧電素子２００を動作させて、当該インク室ユニットに超音波振動を与えて、該インク室ユニット内のインクに含まれる気泡を除去することができる。
【０１６４】
図１３には、印字ヘッド５０内に振動発生手段として機能する圧電素子２１０、２１２を備えた、他の態様を示す。
【０１６５】
図１３は、本態様におけるインク室ユニット５３の断面構造を示している。
【０１６６】
ノズル形成面５１Ａには圧力室５２に超音波振動を与える圧電素子２１０を備え、また、共通流路５５の供給口５４と対向する面（共通流路５５の天面）の共通流路５５の外側には共通流路５５を超音波振動させる圧電素子２１２を備えている。
【０１６７】
なお、インク滴吐出用のアクチュエータ（圧電素子）５８は圧力室５２と共通流路５５との間に設けられた空隙部分２２０に配置されている。
【０１６８】
振動発生手段として機能する圧電素子２００（２１０、２１２）をノズルごとに備えると、該圧電素子２００等を移動させる移動手段を備えなくてもよい。
【０１６９】
更に、印字ヘッド５０の外部に設けられた振動発生手段（図８及び図１１の符号１０２）の動作に同期させて、ノズルごとに設けられた振動発生手段となる圧電素子（図１２の符号２００及び図１３の符号２１０、２１２）を駆動してもよい。このとき、インク吐出用のアクチュエータ５８を併用してもよい。
【０１７０】
このように複数の振動発生手段を用いることで、印字ヘッド５０に効率よく振動を与えることもできる。一方、それぞれの振動発生手段を小型化することができるので、省スペースやコストダウンに寄与する。
【０１７１】
本インクジェット記録装置１０では、装置立ち上げ時（電源オン時）に印字ヘッド５０に超音波振動を与えるように制御されている。通常電源オフ時は、図６に示したキャップ６４が印字ヘッド５０に装着されていれば、ノズル５１からインク内へ急激に気体が浸入して気泡化することはなく、装置立ち上げ直後に印字ヘッド５０を振動させて溶存気体をインク内に溶け込ませることができる。
【０１７２】
装置立ち上げ時の他に、非常停止後の再立ち上げ時やシステムリセット時など一定時間以上吐出が行われない状態が継続された可能性がある場合にも上述した気泡処理を実行することが好ましい。
【０１７３】
また、印字ヘッド５０に振動を与えてインク内に気泡を溶け込ませた場合に、溶け込ませた気泡が再度気泡化することを防ぐために、図７に示したヘッド温調手段１１２を用いて、印字ヘッド５０内に貯留されるインクの温度を下げるように制御される。インクの温度を下げた場合、インクの粘度が上昇して吐出しにくくなる可能性があるので、インクの温度を下げた場合にはアクチュエータ５８に印加される駆動電圧波形は変更される。
【０１７４】
駆動電圧波形を変更する態様は、印加電圧の傾きを変更せずに印加電圧の振幅の大きさを上げてもよいし、印加電圧の振幅の大きさを変更せずに印加電圧の傾きが大きくなるように変更してもよい。また、印加電圧の振幅の大きさを上げると共に、印加電圧の傾きを変更してもよい。
【０１７５】
図７に示した溶存酸素計１１０をインク流路内に備えて、インク流路内のインクの溶存気体量をモニタし、該溶存気体量があるしきい値を超える場合には、印字ヘッド５０に超音波振動を与えるように構成してもよい。
【０１７６】
本実施形態では、振動発生手段１０２等を用いて印字ヘッド５０内のインクに超音波振動を与えてインク内に気泡を溶け込ませる態様を例示したが、インク内で気泡化した気体をインク内に溶け込ませて消滅させるために印字ヘッド５０を含むヘッドユニット全体に対してメカニカルな振動を与えてもよい。該振動付与手段には、図７に示したシステムコントローラによって制御されるモータや該モータによって駆動されるカムなどを含んだ構成になっている。
【０１７７】
上記の如く構成されたインクジェット記録装置１０では、印字ヘッド５０に超音波振動を与える振動発生手段１０２を備えたので、この超音波振動が印字ヘッド５０内のインクに作用して、印字ヘッド５０内のインクに発生した気泡をインク内に溶け込ませて消滅させることができるので、インク吸引を行わずに気泡を消滅させることができ、無駄なインクが発生せず、インクの消費量を減らすことができる。また、ヘッドを振動させることで、ノズルから浸入する気泡に対して気泡を消滅する効果がある。
【０１７８】
また、印字ヘッド５０内及び印字ヘッド５０へインクを供給する供給路内に、インク内に発生した気泡を検出する気泡検出手段１００を備えたので、気泡検出手段１００によって気泡が検出された際に超音波振動を与えるように構成してもよい。
【０１７９】
更に、印字ヘッド外部に備えられた振動発生手段１０２を移動させる移動手段を備えたので、選択的に超音波振動を与えることができる。例えば、印字ヘッド５０に備えられたノズルの不吐出を検出して、不吐出ノズルに対応したインク室ユニット５３Ａの形成領域に振動発生手段を移動させて、インク室ユニット５３Ａ及びその近傍に超音波振動を与えるように構成してもよい。
【０１８０】
なお、振動発生手段は印字ヘッド５０の外部に備えられてもよいし、印字ヘッド５０の内部に備えられてもよい。また、振動発生手段は、吐出用素子や不吐出検出用素子と兼用可能である。
【０１８１】
本発明はインクの溶存気体が気泡化した場合だけでなく、ノズルを介して外部から浸入した気泡にも効果を得ることができる。
【０１８２】
本実施形態ではフルライン型の印字ヘッドを例示したが、本発明は記録紙搬送方向と略直交する方向に印字ヘッドを走査させて印字を行うシャトルスキャン型の印字ヘッドにも適用可能である。但し、本発明は印字ヘッドが固定されるフルライン型の印字ヘッドにより効果を発揮する。
【図面の簡単な説明】
【０１８３】
【図１】本発明の実施形態に係るインクジェット記録装置の基本構成図
【図２】図１に示したインクジェット記録装置の印字部周辺の要部平面図
【図３】図１に印字ヘッドの構造例を示す平面透視図
【図４】図３中４−４線に沿う断面図
【図５】図３(a) に示した印字ヘッドのノズル配列を示す拡大図
【図６】本実施形態に係るインクジェット記録装置におけるインク供給部の構成を示した概要図
【図７】本実施形態に係るインクジェット記録装置のシステム構成を示す要部ブロック図
【図８】本インクジェット記録装置の有する気泡処理機能を説明する図
【図９】本インクジェット記録装置に備えられた気泡検出手段の配置を示す図
【図１０】不吐出検出手段を備えたインク室ユニットの構造例を示す断面図
【図１１】図８に示した振動発生手段を移動させて気泡発生位置に振動を付加する様子を示す図
【図１２】振動発生手段をインク室ユニット内に備えた態様を示す平面斜視図
【図１３】図１２の他の態様に係る振動発生手段を備えたインク室ユニットの構造例を示す断面図
【符号の説明】
【０１８４】
１０…インクジェット記録装置、５０…印字ヘッド、５８…アクチュエータ、６３…脱気装置、１００…気泡検出手段、１０２…振動発生手段、２００，２１０，２１２…圧電素子、１０６…移動手段、１１０…溶存酸素計、１１２…ヘッド温調手段、１２０…振動子、１２２…ホーン、１３０…供給ホース、１４６…ＣＣＤ、１４８…センサ
【図１】
2005231309.tif 000003
【図２】
2005231309.tif 000004
【図３】
2005231309.tif 000005
【図４】
2005231309.tif 000006
【図５】
2005231309.tif 000007
【図６】
2005231309.tif 000008
【図７】
2005231309.tif 000009
【図８】
2005231309.tif 000010
【図９】
2005231309.tif 000011
【図１０】
2005231309.tif 000012
【図１１】
2005231309.tif 000013
【図１２】
2005231309.tif 000014
【図１３】
2005231309.tif 000015